(57)【要約】【課題】貯水タンクが車体の高い位置に設置されている場合であっても、水の補給作業を容易に実施できる振動ローラ車両のメンテナンス用ステップを提供する。【解決手段】後部車体４の下部に設けた油圧モータ１０の左右両側に後部転圧ローラ３をそれぞれ配置し、後部転圧ローラ３の直上に貯水タンク２１を配設する。左右の後部転圧ローラ３間に形成された間隙Ｓ内にカバー１４を配置して、油圧モータ１０に接続された油圧ホース１３等を保護する。このカバー１４にステップ２８を溶接することにより、作業者がステップ２８に足を掛けて貯水タンク２１への水の補給を実施できるようにする。【選択図】図５
2014105470.tif 000002
【特許請求の範囲】
【請求項１】
前部車体と後部車体とを水平方向に屈曲可能に連結し、該後部車体の下部に設けられた油圧モータの左右両側に互いに離間するようにタイヤをそれぞれ配置し、各タイヤを上記油圧モータにより回転駆動する一方、上部に給水口を備えた貯水タンクを上記後部車体の上記タイヤの直上付近に配設し、該貯水タンクに貯留された水を散水手段により上記タイヤ又は路面の少なくとも一方に散水する振動ローラ車両において、
上記左右のタイヤの間に形成された間隙内に、作業者が足を掛けることが可能なステップを配設したことを特徴とする振動ローラ車両のメンテナンス用ステップ。
【請求項２】
上記ステップは、その後端を上記タイヤの最外周円内に位置させたことを特徴とする請求項１記載の振動ローラ車両のメンテナンス用ステップ。
【請求項３】
上記左右のタイヤの間隙内には、上記油圧モータに接続された油圧ホースを保護するためのカバーが配設され、
上記ステップは、上記カバーに固定されたことを特徴とする請求項１又は２記載の振動ローラ車両のメンテナンス用ステップ。
【請求項４】
上記カバーは、上記後部車体又は上記油圧モータを収容するモータハウジングに取り付けられ、該カバーに上記ステップが固定されたことを特徴とする請求項１乃至３の何れか記載の振動ローラ車両のメンテナンス用ステップ。
【請求項５】
上記ステップは、基端を中心として直立姿勢の格納位置と水平姿勢の使用位置との間で回動可能に構成され、上記使用位置では後端を上記タイヤの最外周円よりも突出させることを特徴とする請求項１、３、４の何れか記載の振動ローラ車両のメンテナンス用ステップ。
【発明の詳細な説明】
【技術分野】
【０００１】
本発明は、路面の舗装工事に用いられる振動ローラ車両に関し、より詳しくは、転圧ローラや転圧後の路面への散水に使用する水を貯留する貯水タンクのメンテナンス用ステップに関する。
【背景技術】
【０００２】
この種の振動ローラ車両は、路面の舗装工事等で舗装材を締め固める（以下、この動作を転圧という）ために使用されている。車体の前側や後側には車輪を兼ねた転圧ローラが備えられ、アスファルト混合物等の舗装材を敷きつめた路面を走行しながら、転圧ローラによって舗装材の締め固めを行っている。舗装工事の際には、転圧ローラへの舗装材の付着防止等を目的とした転圧ローラへの散水、或いは転圧後の路面の冷却硬化促進を目的とした路面への散水が行われ、これらの用途に使用する多量の水は振動ローラ車両の車体上に設けられた貯水タンクに貯留されている。
貯水タンクに貯留された水は、配管を通じて車体上の所定位置に設置されたノズルに供給されて転圧ローラや路面への散水に供されるため、車体上での貯水タンクの設置場所は、例えばパワートレイン等の機械的な構成に比較して自由度が高い。このため、通常はパワートレイン等のレイアウトを優先して決定し、余ったスペースから貯水タンクの設置位置が決定されており、例えば特許文献１に記載された振動ローラ車両では、車体の後部転圧ローラの直上に貯水タンクが設置されている。
【先行技術文献】
【特許文献】
【０００３】
【特許文献１】特開２０１１−１７７１号公報
【発明の概要】
【発明が解決しようとする課題】
【０００４】
しかしながら、上記特許文献１の技術では、その図１に示されるように、後部転圧ローラの直上に設置されることで貯水タンクが車体上のかなり上部に位置し、水を補給し難いという弊害が生じている。即ち、貯水タンクに補給される水としては、水道水、河川や池の水等が利用されるが、何れにしても水の補給は、水道蛇口や汲み上げポンプからホースを通じて送られる水を貯水タンクの給水口に流し入れることで実施される。
【０００５】
ところが、貯水タンク自体の設置位置が高い上に、給水口は貯水タンクの最上部に設けられるため、作業者にとって給水口は非常に高い位置にある。特に小柄な作業者では給水口を直接的に目視することが困難、若しくは目視できたとしても給水口にホースの先端が辛うじて届く程度であり、ホースから出た水を給水口にうまく定めることができなかった。従って、従来から水の補給作業を行い易くする抜本的な対策が要望されていた。
本発明はこのような問題点を解決するためになされたもので、その目的とするところは、貯水タンクが車体の高い位置に設置されている場合であっても、水の補給作業を容易に実施することができる振動ローラ車両のメンテナンス用ステップを提供することにある。
【課題を解決するための手段】
【０００６】
上記目的を達成するため、請求項１の発明は、車体の下部に設けられた油圧モータの左右両側に互いに離間するように転圧ローラをそれぞれ配置し、各転圧ローラを油圧モータにより支持しながら回転駆動する一方、上部に給水口を備えた貯水タンクを車体の転圧ローラの直上付近に配設し、貯水タンクに貯留された水を散水手段により転圧ローラ又は路面の少なくとも一方に散水する振動ローラ車両において、左右の転圧ローラの間に形成された間隙内に、作業者が足を掛けることが可能なステップを配設したものである。
請求項２の発明は、請求項１において、ステップが、その後端を転圧ローラの最外周円内に位置させたものである。
【０００７】
請求項３の発明は、請求項１又は２において、左右の転圧ローラの間隙内に、油圧モータに接続された油圧ホースを保護するためのカバーが配設され、ステップがカバーに固定されたものである。
請求項４の発明は、請求項１乃至３において、カバーが、車体又は油圧モータを収容するモータハウジングに取り付けられ、カバーにステップが固定されたものである。
請求項５の発明は、請求項１、３、４において、ステップが、基端を中心として直立姿勢の格納位置と水平姿勢の使用位置との間で回動可能に構成され、使用位置では後端を転圧ローラの最外周円よりも突出させるものである。
【発明の効果】
【０００８】
以上説明したように請求項１の発明の振動ローラ車両のメンテナンス用ステップによれば、油圧モータの左右両側に互いに離間して転圧ローラを配置し、これらの転圧ローラの直上付近に散水用の貯水タンクを配設する一方、左右の転圧ローラ間に形成された間隙内にステップを配設した。
従って、貯水タンクに水を補給する際に、作業者はステップ上に足を乗せて立つことにより立ち位置を高めることができ、水の補給作業を容易に実施することができる。
請求項２の発明の振動ローラ車両のメンテナンス用ステップによれば、請求項１に加えて、ステップの後端を転圧ローラの最外周円内に位置させた。このため、振動ローラ車両の取回しを悪化させることなく良好な作業性を維持することができる。
【０００９】
請求項３の発明の振動ローラ車両のメンテナンス用ステップによれば、請求項１又は２に加えて、左右の転圧ローラの間隙内に配設された油圧ホースを保護するカバーにステップを固定した。従って、既存のカバーにステップを固定するだけの簡単な構成により実施することができる。
請求項４の発明の振動ローラ車両のメンテナンス用ステップによれば、請求項１乃至３に加えて、車体又はモータハウジングに取り付けられたカバーにステップを固定した。従って、ステップはカバーを介して十分な強度を有する車体やモータハウジングに固定されるため、作業者の全体重を受けても何ら問題なく支えることができる。
請求項５の発明の振動ローラ車両のメンテナンス用ステップによれば、請求項１、３、４に加えて、ステップを基端を中心として格納位置と使用位置との間で回動可能とし、使用位置では後端を転圧ローラの最外周円よりも突出させるようにした。従って、作業者がステップに足を掛け易くなるため、水の補給作業を一層容易に実施することができる。
【図面の簡単な説明】
【００１０】
【図１】第１実施形態の振動ローラ車両を示す正面図である。
【図２】同じく振動ローラ車両を後方より見た側面図である。
【図３】同じく振動ローラ車両を上方より見た平面図である。
【図４】ステップの取付状態を示す図２のIV−IV線断面図である。
【図５】同じくステップの取付状態を示す斜め下方より見た斜視図である。
【図６】同じくステップの取付状態を示す斜め上方より見た斜視図である。
【図７】第２実施形態のステップの取付状態を示す部分断面図である。
【図８】同じくステップの取付状態を示す斜め下方より見た斜視図である。
【図９】同じくステップの取付状態を示す斜め上方より見た斜視図である。
【図１０】ステップの支持機構を示す図７の拡大断面図である。
【図１１】同じくステップの支持機構を示す図１０のX1−X1線断面図である。
【発明を実施するための形態】
【００１１】
［第１実施形態］
以下、本発明を具体化した振動ローラ車両のメンテナンス用ステップの第１実施形態を説明する。
図１は本実施形態の振動ローラ車両を示す正面図、図２は同じく振動ローラ車両を後方より見た側面図，図３は同じく振動ローラ車両を上方より見た平面図である。
振動ローラ車両の車体は、前部転圧ローラ１を備えた前部車体２と後部転圧ローラ３（タイヤ）を備えた後部車体４とから構成されている。これらの前部車体２と後部車体４とは、センタピン５を介して水平方向に屈曲可能なアーティキュレート式に連結され、相互に屈曲することで車両の旋回を行うようになっている。前部転圧ローラ１はほぼ車幅と対応する長さを有する金属ドラムから構成され、前部車体２から下方に延設された左右一対の支持アーム６により回転可能に支持されている。
又、後部転圧ローラ３は左右２本ずつ計４本のゴムタイヤから構成され、後部車体４に設けられたアクスル７により回転可能に支持されている。結果として本実施形態の振動ローラ車両は、前部転圧ローラ１を金属ドラムとし、後部転圧ローラ３をゴムタイヤとした所謂コンバインド型として構成されている。
【００１２】
図４はアクスル７に対するステップの取付状態を示す図２のIV−IV線断面図、図５は同じくステップの取付状態を示す斜め下方より見た斜視図、図６は同じくステップの取付状態を示す斜め上方より見た斜視図である。
アクスル７は左右の後部転圧ローラ３の間に配設されており、後部転圧ローラ３を支持しながら回転駆動する左右一対の油圧モータ１０、これらの油圧モータ１０を収容するモータハウジング１１等の部材から構成されている。図４に示すように、モータハウジング１１は断面略Ｃ字状をなして左右方向に延設され、左右両側方及び後方に向けて開口している。モータハウジング１１の外周面の上下にはそれぞれフランジ部１１ａが突設され、これらのフランジ部１１ａが後部車体４側に設けられた上下一対の取付ベース４ａにそれぞれボルト１２で固定されることにより、モータハウジング１１が後部車体４の所定位置に取り付けられている。
【００１３】
モータハウジング１１内には上記一対の油圧モータ１０が左右に併設された状態で収容され、各油圧モータ１０に設けられたハブユニット１０ａは、モータハウジング１１の左右の開口部から左方及び右方に突出して上記後部転圧ローラ３がそれぞれ固定・支持されている。各油圧モータ１０には油圧ホース１３の一端が接続され、油圧ホース１３はモータハウジング１１の後方に面した開口部を介して後部車体４内に引き込まれて前部車体２側に案内され、その他端を前部車体２内に収容された油圧ポンプに接続されている。
図示はしないが油圧ポンプはエンジンにより駆動され、油圧ポンプから吐出された作動油がバルブの切換に応じて油圧ホース１３を経て各油圧モータ１０に供給される。作動油の供給状態に応じて油圧モータ１０により後部転圧ローラ３が正転方向又は逆転方向に駆動され、これにより振動ローラ車両が任意の速度で前進または後退するようになっている。尚、詳細は説明しないが油圧ポンプからの作動油は、前部転圧ローラ１の回転駆動や路面の転圧のための前部転圧ローラ１の加振にも利用される。
【００１４】
図２，５に示すように、左右の後部転圧ローラ３は所定距離だけ離間し、油圧モータ１０からの油圧ホース１３を後部車体４内に引き込むための間隙Ｓが形成されている。このため、アクスル７の大部分は左右の後部転圧ローラ３内（リム内）に位置しているものの、アクスル７の左右方向の中央部分、例えば油圧ホース１３の接続箇所の周辺等は左右の後部転圧ローラ３の間隙Ｓを介して後方に露出している。そこで、露出部分の保護を目的として、後部転圧ローラ３間にカバー１４が配設されている。
カバー１４は金属板材を折曲加工して製作され、全体として中央部１４ａから上側傾斜部１４ｂ及び下側傾斜部１４ｃを上下方向に延設した長方形状をなしている。カバー１４の中央部１４ａは剛性確保のために左右両側部１４ｄを車両前方に折曲させた断面コ字状をなし、その中央部１４ａに対して上側傾斜部１４ｂ及び下側傾斜部１４ｃは、モータハウジング１１を取り囲むように車両前方に向けて鈍角状に折曲されている。カバー１４の上側傾斜部１４ｂの上端は後部車体４側に設けられた取付ベース４ｂにボルト１５で固定され、カバー１４の下側傾斜部１４ｃの下端はモータハウジング１１側に設けられた取付ベース１１ｂにボルト１５で固定されている。
これにより左右の後部転圧ローラ３間にカバー１４が固定されて、油圧モータ１０に対する油圧ホース１３の接続箇所等を後方から隠蔽している。ボルト１５，１６の脱着によりカバー１４は取外可能であり、油圧モータ１０や油圧ホース１３のメンテナンスはカバー１４を取り外して実施される。
【００１５】
後部車体４上の前側位置にはステアリング１８を備えた操作台１９が設置され、操作台１９の後側には座席２０が設置されている。座席２０に着座した作業者はステアリング１８及び操作台両脇の前後進レバー１７や足下のブレーキペダルを操作し、その操作に応じて振動ローラ車両の走行や前部転圧ローラ１の加振が行われる。
座席２０の後側位置に相当する後部車体４上の最後部には貯水タンク２１が設置され、この貯水タンク２１はほぼ車幅と対応する幅を有している。貯水タンク２１には、前部及び後部転圧ローラ１，３の近傍に配設されたローラ散水ノズル２２、及び後部車体４の後端に配設された図示しない路面散水ノズルが配管及び給水ポンプを介して接続されている。貯水タンク２１には水が貯留され、舗装作業時には前部及び後部転圧ローラ１，３への舗装材の付着防止、或いは転圧後の舗装材の冷却硬化促進等を目的として、貯水タンク２１内の水が給水ポンプにより各散水ノズル２２に供給されて前部及び後部転圧ローラ１，３や路面へと散水される。
【００１６】
貯水タンク２１上の左右方向中央には水位表示用のレベルゲージ２５が設けられ、レベルゲージ２５の左側には脱着可能なキャップ２６ａを備えた給水口２６が設けられている。
図２などから明らかなように、貯水タンク２１は後部転圧ローラ３の直上に設置されており、必然的に貯水タンク２１の給水口２６やレベルゲージ２５は高所に位置しているため、水の補給作業やレベルゲージ２５による貯水量の確認が行い難いという問題がある。その対策として、給水口２６までのアクセス性を向上させるべく、貯水タンク２１の直下にメンテナンス用のステップを設けることも考えられるが、車体後方に突出したステップは振動ローラ車両の取回しを悪化させるという弊害を生じてしまう。
【００１７】
ここで本発明者は、本実施形態のようなコンバインド型の振動ローラ車両では、油圧モータ１０から後部車体４内への油圧ホース１３の引き込みのために左右の後部転圧ローラ３間に間隙Ｓが形成されており、この間隙Ｓが何ら利用されていない点に着目した。即ち、このデッドスペースである間隙Ｓ内にステップを配設すれば、周辺部品に影響することなくステップを設置でき、しかも、間隙Ｓ内への配設によりステップは車体後方に突出し難くなるため車両の取回しを悪化させる虞もなくなる。そこで、本実施形態では、左右の後部転圧ローラ３の間隙Ｓ内にステップ２８を配設しており、以下、当該ステップ２８の取付構造について詳述する。
ステップ２８は帯状の金属板材を折曲加工して製作され、左右方向に延びる後側辺２９の両端から左側辺３０及び右側辺３１をそれぞれ前方に向けて延設したコ字状をなしている。左側辺３０と右側辺３１とは相対向し、その前後方向の中間付近が連結部３２を介して溶接により相互に連結されている。
【００１８】
ステップ２８はカバー１４の後方位置に水平姿勢で配設され、左側辺３０及び右側辺３１の前端をカバー１４の中央部１４ａの下部の左右両側部１４ｄにそれぞれ溶接されている。これによりステップ２８は、図４に示すように後部転圧ローラ３の回転中心付近の高さでカバー１４に対して固定され、その後端は車両後方に指向している。左右の後部転圧ローラ３の間隙Ｓは一般的な靴の幅よりも十分に広いため、作業者が間隙Ｓ内に片足を差し入れてステップ２８上に立つことが容易に可能となっている。
このときのステップ２８は作業者の全体重を受けるが、上記のようにカバー１４を介して十分な強度を有する後部車体４及びモータハウジング１１に固定されているため、何ら問題なく作業者を支え続ける。
【００１９】
そして、本実施形態では、ステップ２８の後端が後部転圧ローラ３の最外周円内に位置するように、ステップ２８の前後長さが設定されている。従って、ステップ２８の後端は間隙Ｓ内から後方に突出せず、振動ローラ車両の全長は全く変化していない。但し、ステップ２８の構成や大きさについては上記に限ることはない。例えばステップ２８の形状を変更したり、或いはステップ２８の後端を後部転圧ローラ３の最外周円から後方に若干突出させたりしてもよい。
【００２０】
次に、以上のように構成された本実施形態の振動ローラ車両において貯水タンク２１への水の補給作業やレベルゲージ２５による貯水量の確認を実施する場合について説明する。
上記したように舗装工事の際にはローラ散水ノズル２２及び路面散水ノズルからローラ１，３や転圧後の路面への散水を実施するため、工事に先立って貯水タンク２１には水が補給される。水の補給はホースからの水を貯水タンク２１の給水口２６に流し入れることで行われるが、図１，２から明らかなように、貯水タンク２１自体が後部転圧ローラ３上の高所に設置されている上に、給水口２６やレベルゲージ２５は貯水タンク２１の最上部に設けられている。
【００２１】
図４に示すように本実施形態では、給水口２６やレベルゲージ２５の直下にステップ２８が位置しており、ステップ２８の高さは後部転圧ローラ３の回転中心付近となっている。このため、作業者がステップ２８上に片足を乗せて立つと、後部転圧ローラ３の半径相当分だけ立ち位置を高めることができる。よって、作業者はホースからの水を貯水タンク２１の給水口２６に流し入れたり、或いはレベルゲージ２５により貯水量を確認したりする作業を容易に実施できる。
一方で、ステップ２８の後端が後部転圧ローラ３の最外周円内に位置しているため、振動ローラ車両の取回しは何ら悪化せず良好な作業性を維持することができる。
また、以上のように既存のカバー１４にステップ２８を溶接しただけの非常に簡単な構成である。しかも、デッドスペースである左右の後部転圧ローラ３の間隙Ｓにステップ２８が配設されるため、周辺部品への影響を防止できる。例えばステップ２８を設置しても、近接位置にあるローラ散水ノズル２２等の設置状態を変更する必要は一切ない。よって、振動ローラ車両の仕様を大幅に変更することなく低コストで実施することができる。
【００２２】
［第２実施形態］
次に、本発明を別の振動ローラ車両のメンテナンス用ステップに具体化した第２実施形態を説明する。
本実施形態の振動ローラ車両は第１実施形態で述べたものと基本的な構成は同一であり、相違点はステップ４１の構造にある。そこで、共通する構成の箇所には同一部材番号を付して説明を省略し、相違点を重点的に説明する。
図７は本実施形態のステップ４１の取付状態を示す部分断面図、図８は同じくステップ４１の取付状態を示す斜め下方より見た斜視図、図９は同じくステップ４１の取付状態を示す斜め上方より見た斜視図、図１０はステップ４１の支持機構を示す図７の拡大断面図、図１１は同じくステップ４１の支持機構を示す図１０のX1−X1線断面図である。
【００２３】
本実施形態のステップ４１は非使用時に格納可能な可動式として構成されている。第１実施形態の車両と同じく左右の後部転圧ローラ３の間隙Ｓには、油圧ホース１３の接続箇所等を保護するカバー１４が取り付けられている。カバー１４の全体的な形状は第１実施形態と同様であるが、カバー１４にステップ２８が直接的に溶接された第１実施形態に対し、本実施形態のカバー１４にはステップ４１を回動可能に支持する金属板材からなるブラケット４２が溶接されている。ブラケット４２は左右方向に延びる長方形状をなし、カバー１４の中央部１４ａの下部に重ねられた状態で溶接されている。ブラケット４２の左右両端は軸受部４３として車両後方に折曲され、各軸受部４３には軸受孔４３ａが貫設されている。
【００２４】
第１実施形態のステップ２８と同じく、ステップ４１は折曲形成により後側辺４４及び左右両側辺４５，４６からなるコ字状をなし、左側辺４５及び右側辺４６の基端（第１実施形態の前端に相当）をブラケット４２の左右両側に位置させた姿勢で配設されている。ステップ４１の左側辺４５及び右側辺４６にはブラケット４２の軸受孔４３ａと一致するようにボルト孔４５ａ，４６ａが貫設され、これらのボルト孔４５ａ，４６ａ及び軸受孔４３ａには左方よりボルト４７が挿入されて、右方に突出したボルト４７の先端にナット４８が螺合している。
これによりステップ４１は基端をブラケット４２にボルト４７を介して連結されて、基端を中心として先端側を回動し得るようになっている。ステップ４１は、上方に回動した図１０に実線で示す直立姿勢（以下、格納位置と称する）ではカバー１４に当接して回動規制され、下方に回動した図１０に仮想線で示す水平姿勢（以下、使用位置と称する）では基端のストッパ部４９をカバー１４の表面に当接させて回動規制される。よって、これらの格納位置と使用位置との間でステップ４１が任意に回動し得るようになっている。
【００２５】
ステップ４１の左側辺４５と右側辺４６とを連結する連結部５０は一対設けられ、一方の連結部５０には固定面５０ａが直角に折曲されてボルト孔５０ｂが貫設されている。ステップ４１が格納位置にあるときにボルト孔５０ｂと一致するようにカバー１４には透孔５１が貫設され、カバー１４の前面には透孔５１に対応してナット５２が溶接されている。そして、格納位置にステップ４１を回動させるとボルト孔５０ｂがカバー１４の透孔５１と一致し、後方よりボルト５３をボルト孔５０ｂ及び透孔５１を介してナット５２に螺合させることにより、ステップ４１を格納位置に保持できるようになっている。
本実施形態では、使用位置にあるときのステップ４１の後端が後部転圧ローラ３の最外周円よりも後方に突出するようになっている。但し、ステップ４１を格納位置に回動させれば、ステップ４１全体が後部転圧ローラ３の最外周円内に収まって後方への突出が防止される。
【００２６】
次に、以上のように構成された本実施形態の振動ローラ車両において貯水タンク２１への水の補給作業やレベルゲージ２５による貯水量の確認を実施する場合について説明する。
舗装工事中等の通常時には、ボルト５３によりステップ４１を格納位置に保持して使用位置への回動を規制している。このため、ステップ４１の後端が後部転圧ローラ３の最外周円よりも後方に突出することが防止され、振動ローラ車両の取回しは何ら悪化せず良好な作業性を維持することができる。
【００２７】
一方、貯水タンク２１に水を補給する際には、ボルト５３を取り外してステップ４１を使用位置まで回動させる。ストッパ部４９がカバー１４の表面に当接してステップ４１は水平姿勢の使用位置に保持される。このため、作業者はステップ４１上に片足を乗せて立った姿勢で、貯水タンク２１への水の補給やレベルゲージ２５による貯水量の確認等の作業を容易に実施することができる。そして、作業の終了後にステップ４１を格納位置まで回動させた上でボルト５３により固定すれば、上記のように舗装工事等を何ら問題なく実施することができる。
そして、通常時にはステップ４１を格納位置に保持する構成のため、第１実施形態のようにステップ４１の長さを後部転圧ローラ３の最外周円内に制限する必要がない。このためより長いステップ４１を設けて、使用位置ではステップ４１の後端を後部転圧ローラ３の最外周円よりも後方に突出させることができる。結果として作業者はステップ４１に足を掛け易くなるため、水の補給作業を一層容易に実施することができる。
【００２８】
以上で実施の形態の説明を終えるが、本発明の態様はこの実施の形態に限定されるものではない。例えば上記各実施の形態では、後部転圧ローラ３を左右２本ずつ計４本のゴムタイヤとしたが、左右の後部転圧ローラ３の間隙Ｓ内にステップ２８，４１を配設した構成であれば、後部転圧ローラ３の構成はこれに限るものではない。例えば後部転圧ローラ３を左右１本ずつ計２本のゴムタイヤとしてもよい。
又、上記第２実施形態では、ステップ４１を水平姿勢の使用位置から上方に回動させて格納したが、下方に回動させて格納するようにしてもよい。
【符号の説明】
【００２９】
２          前部車体
３          後部転圧ローラ（タイヤ）
４          後部車体
１０        油圧モータ
１１        モータハウジング
１３        油圧ホース
１４        カバー
２１        貯水タンク
２２        ローラ散水ノズル（散水手段）
２６        給水口
２８，４１  ステップ
【図１】
2014105470.tif 000003
【図２】
2014105470.tif 000004
【図３】
2014105470.tif 000005
【図４】
2014105470.tif 000006
【図５】
2014105470.tif 000007
【図６】
2014105470.tif 000008
【図７】
2014105470.tif 000009
【図８】
2014105470.tif 000010
【図９】
2014105470.tif 000011
【図１０】
2014105470.tif 000012
【図１１】
2014105470.tif 000013